【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
特徴的な振動スペクトルを記録するために生きた鳥の少なくとも1つの体部位を定位置にロックするための装置(6)であって、
-  定位置にロックされるべき前記体部位を挿入するためのレリーフマスク(35)と、
-  前記体部位を定位置にロックするために設けられた少なくとも1つの可動支持アーム(13、26)と、
-  前記ロックされた体部位上に照射される刺激光(39)を指向させるための、および前記ロックされた体部位によって後方散乱される光を戻すための光チャネル(23)を有するセンサアクセス部(8)と
を備える、装置。
【請求項２】
前記レリーフマスク(35)は、前記体部位の形状に本質的に対応する少なくとも1つの凹部(14、15、16、17)を備え、前記センサアクセス部(8)は、前記レリーフマスク(35)を貫通して延在する、請求項1に記載の装置。
【請求項３】
前記体部位は、鳥の頭部、くちばし、および頸部のうちの少なくとも１つを含み、前記レリーフマスク(35)は、前記鳥の前記頭部用の凹部(14)、前記くちばし用の凹部(15)、および前記頸部用の凹部(17)のうちの少なくとも１つを備え、前記凹部(14、15、17)は、前記レリーフマスク(35)の形状内に一様空間を形成する、請求項1または2に記載の装置。
【請求項４】
前記少なくとも1つの可動支持アーム(13、26)は、前記鳥の前記頸部用の前記凹部(17)の領域に配置される、請求項3に記載の装置。
【請求項５】
前記装置(6)は、前記センサアクセス部(8)と前記頭部用の前記凹部(14)との間に配置された第1の光トラッピング部(9)をさらに備える、請求項3または4に記載の装置。
【請求項６】
前記装置(6)は、
-  頭部支持部材(20)、
-  くちばし包囲部材(21)、および
-  頸部支持部材(22)
のうちの少なくとも１つをさらに備え、
前記頭部支持部材(20)は、前記頭部用の前記凹部(14)に関連付けられ、前記くちばし包囲部材(21)は、前記くちばし用の前記凹部(15)に関連付けられ、前記頸部支持部材(22)は、前記頸部用の前記凹部(17)に関連付けられる、請求項3から5のいずれか一項に記載の装置。
【請求項７】
前記光チャネル(23)は、少なくとも前記頭部支持部材(20)を貫通して測定エリア(40)まで延在する、請求項6に記載の装置。
【請求項８】
前記頭部支持部材(20)は、頭部受け開口部(30)を備え、前記くちばし包囲部材(21)は、くちばし受け開口部(29)を備え、前記頭部受け開口部(30)およびくちばし受け開口部(29)は、前記レリーフマスク(35)の一部である、請求項6または7に記載の装置。
【請求項９】
前記光チャネル(23)は、前記くちばし用の前記凹部(15)の上方バルジのほぼ中央領域へと配向される、請求項3から8のいずれか一項に記載の装置。
【請求項１０】
前記装置(6)は、第1の掃気入口を備える、請求項1から9のいずれか一項に記載の装置。
【請求項１１】
前記第1の掃気入口(10)は、前記第1の光トラッピング部(9)および前記頭部支持部材(20)を貫通して延在し、前記光チャネル(23)を洗浄するために前記光チャネル(23)内に開口する、
請求項5を引用する請求項6、
請求項5を引用する請求項6を引用する請求項7から9のいずれか一項、
請求項5を引用する請求項6を引用する請求項7を引用する請求項8または9、および、
請求項5を引用する請求項6を引用する請求項7を引用する請求項8を引用する請求項9、
のうちのいずれか一項を引用する請求項10に記載の装置。
【請求項１２】
第2の光トラッピング部(24)が、前記くちばし包囲部材(21)および前記頸部支持部材(22)に配置される、請求項6から8および11のいずれか一項、または、請求項6を引用する請求項9もしくは10に記載の装置。
【請求項１３】
第2の掃気入口(25)が、前記第2の光トラッピング部(24)を貫通して延在し、前記第2の掃気入口(25)は、前記光チャネル(23)内に開口する、請求項12に記載の装置。
【請求項１４】
対物レンズまたは集束レンズの形態の合焦アセンブリ(11)が、前記光チャネル(23)内に配置される、請求項1から13のいずれか一項に記載の装置。
【請求項１５】
前記光チャネル(23)もしくは前記センサアクセス部(8)、またはその両方は、前記合焦アセンブリ(11)の調節を可能にするために前記合焦アセンブリ(11)へのアクセス部(12)を備える、請求項14に記載の装置。
【請求項１６】
前記少なくとも1つの可動支持アーム(13、26)は、少なくとも1つの可動ロックレバーとして形成される、前記体部位に適合化された枢動可能に取り付けられた弓形状支持アーム(13、26)として形成される、および/または棒形状に形状設定される、請求項1から15のいずれか一項に記載の装置。
【請求項１７】
前記可動支持アーム(13、26)の移動が、制御的に解除およびリセットされる、請求項1から16のいずれか一項に記載の装置。
【請求項１８】
前記少なくとも1つの可動支持アーム(13、26)は、線形変位向けに形成される(27)か、または枢動的に設けられる(28)、請求項17に記載の装置。
【請求項１９】
前記少なくとも1つの支持アーム(13、26)は、対で配置される、請求項1から18のいずれか一項に記載の装置。
【請求項２０】
前記装置は、少なくとも1つのラウドスピーカ(18、19)をさらに備える、請求項1から19のいずれか一項に記載の装置。
【請求項２１】
前記ラウドスピーカ(18、19)は、前記少なくとも1つの支持アーム(13、26)と通信する、請求項20に記載の装置。
【請求項２２】
前記くちばし包囲部材(21)は、鼻孔用の少なくとも2つの凹部を備える、請求項6から8および11から13のいずれか一項、または、請求項6を引用する請求項9および14から21のいずれか一項に記載の装置。
【請求項２３】
前記刺激光を生成するための光源と、前記後方散乱される光を収集するためのセンサと、分析ユニットとを有する特徴的な振動スペクトルを記録するためのユニット(7)をさらに備える、請求項1から22のいずれか一項に記載の装置。
【請求項２４】
前記分析ユニットは、前記後方散乱される光の中の特徴的な振動スペクトルを利用して前記生きた鳥の雌雄を判別するように構成される、請求項23に記載の装置。
【請求項２５】
前記分析ユニットは、ラマン分光法ユニットである、請求項23または24のいずれかに記載の装置。
【請求項２６】
特徴的な振動スペクトルを利用して生きた鳥の雌雄を判別するためのデバイス(3)であって、
-  円形体(33)またはエンドレスベルト(36)と、
-  請求項1から25のいずれか一項に記載の少なくとも2つの装置(6)と
を備える、デバイス。
【請求項２７】
前記少なくとも2つの装置(6)は、前記円形体(33)の外方エッジ(32)もしくは前記エンドレスベルト(36)、またはその両方の上に取り付けられ、前記デバイスは、
-  前記少なくとも2つの装置(6)にエネルギー供給するための中央ユニット(4)と、
-  前記装置(6)に掃気供給するためのユニット(5)および少なくとも1つの分離ユニット(34)と
をさらに備える、請求項26に記載のデバイス。
【請求項２８】
前記分離ユニット(34)は、雌雄判別分析ユニットと通信し、第1のコンベヤベルト(1)および第2のコンベヤベルト(2)を備える、請求項27に記載のデバイス。
【請求項２９】
前記デバイスは、ロックされることとなる前記鳥を受けるための、および測定されたデータを記録するための所定の第1の停止位置と、前記分離ユニット(34)により既に雌雄鑑別された鳥を分離するための所定の第2の停止位置とを備える、請求項27または28に記載のデバイス。
【請求項３０】
生きた鳥の特徴的な振動スペクトルを記録するための方法であって、
-  前記生きた鳥の体部位を定位置にロックするステップと、
-  光チャネル(23)を使用して、前記ロックされた体部位に刺激光を照射するステップと、
-  定位置にロックされた前記体部位により後方散乱される光を、前記光チャネル(23)を使用して戻すように案内するステップと、
-  前記後方散乱される光の前記特徴的な振動スペクトルを分析するステップと
を含む、方法。
【請求項３１】
請求項1から25のいずれか一項に記載の装置、または請求項26から29のいずれか一項に記載のデバイスを使用して実施される、請求項30に記載の方法。
【請求項３２】
前記分析は、前記鳥の雌雄を判別するために前記後方散乱される光の振動スペクトルを雄鶏および雌鳥、またはその両方の少なくとも一つの基準スペクトルと比較することを含む、請求項30または31に記載の方法。
【請求項３３】
前記分析は、ラマン分光法により実施される、請求項30から32のいずれか一項に記載の方法。
【請求項３４】
計量化学的方法が、前記分析を実施するために利用される、請求項30から33のいずれか一項に記載の方法。